(57)【要約】【課題】方向切換弁等のバルブと積層出来る電磁ポンプにより工作機などのチャッキングやクランプ回路の大幅孔省エネすることができる電磁ポンプを提供する。【解決手段】電磁ポンプ３０は、電磁弁３１にポンプ部３２が係合されている。ポンプ部３２は、ストッパ３８にねじ機構により本体４８が係合し、該ストッパ３８のロッド４３が本体４８に摺動自在に嵌挿されたピストン部材４９の一端に接続している。ピストン部材４９の他端は本体４８に装着されたピストン軸５２に係合されたばね部材５１で押圧されている。ポンプ室５３には、吸入路６４、吐出路５７が連通し、吐出路５７の途中には吐出逆止弁６２が設けられ、吸入路６４の途中には吸入逆止弁６０が設けられている。【選択図】図１
2009007976.tif 000002
【特許請求の範囲】
【請求項１】
電磁コイルを有する電磁弁部材と、
前記電磁弁部材に液密に係合されたポンプ本体を有するポンプ部材と、
を備えた電磁ポンプであって、
前記電磁コイルの励磁時に該電磁コイルの吸引力により油を吸入し、電磁コイルの非励磁時に電磁コイルの吸引力によって撓まされたばね部材の弾発力により油を吐出することを特徴とする電磁ポンプ。
【発明の詳細な説明】
【技術分野】
【０００１】
本発明は、電磁ポンプに関し、さらに詳細には電磁コイルの操作により液体を吐出することができる電磁ポンプの構造に関する。
【背景技術】
【０００２】
従来、この種の電磁ポンプは電磁コイルの励磁時に発生する電磁力（吸引力）により圧油を吐出し、該電磁コイルの非励磁時に吸引力により撓まされているばね部材の弾発力により電磁ポンプのピストンの位置が復元される際に、タンクポートより油を吸入するようにした技術が本出願人によって提案されている（（例えば、特許文献１参照）。
【特許文献１】特開２００７−５１５６７号公報
【発明の開示】
【発明が解決しようとする課題】
【０００３】
しかしながら、特許文献１に開示されている電磁ポンプは電磁コイルを頻繁に励磁することが多く、この場合、電磁コイルの温度が上昇するので該電磁コイルの抵抗が上がる。その結果、同一の電圧を電磁コイルに励磁し続けているにも関らず、電流値は減少し、電磁コイルの吸引力は低下する。
また、気温が低いときなど、電磁ポンプの電磁コイルの温度が低い場合は電磁コイルの抵抗が低下するので、逆に電流値が増加し吸引力は上昇することになる。
さらに、従来の電磁ポンプの設定圧力は、電磁コイルの吸引力、ばね部材の弾発力及び発生する油圧を含む圧力バランスによって決定される。よって、電磁ポンプの作動中に吸引力が変化すると、当初に設定した圧力を保持できなくなるという問題が発生する可能性がある。
本発明は、上記の不具合を解決するためになされたもので、電磁コイルの励磁時に該コイルの吸引力により圧油を吸入し、コイルの非励磁時に該コイルの吸引力によって撓まされたばね部材の弾発力により圧油を吐出することにより、電磁ポンプのコイル温度変化に関わらず、設定した圧力を保持し続けることができる電磁ポンプを提供することを目的とする。
【課題を解決するための手段】
【０００４】
上記の課題を達成するために請求項１記載の発明は、電磁コイルを有する電磁弁部材と、
前記電磁弁部材に液密に係合されたポンプ本体を有するポンプ部材と、
を備えた電磁ポンプであって、
前記電磁コイルの励磁時に該電磁コイルの吸引力により油を吸入し、電磁コイルの非励磁に電磁コイルの吸引力によって撓まされたばね部材の弾発力により圧油を吐出することを特徴とする。
本発明によれば、電磁コイルの励磁時に該コイルの吸引力により油を吸入し、コイルの非励磁時に該コイルの吸引力によって撓まされたばね部材の弾発力により圧油を吐出するようにしたので、電磁ポンプのコイル温度変化に関わらず、設定した圧力を保持し続けることができる。
【発明の効果】
【０００５】
本発明は、圧油を吐出する力を、電磁コイルの吸引力ではなく、ばね部材に弾発力により設定できるようにしたので、油温や電磁コイルの温度変化による設定圧力の変動がなくなり、設定した圧力を保持し続けることができる。
【発明を実施するための最良の形態】
【０００６】
本発明の電磁ポンプにつき好適な実施の形態を挙げ図面を参照して詳細に説明する。図１は、本発明の実施の形態に係る電磁ポンプ３０の概略構造を示す縦断面図である。
図１に示すように、電磁ポンプ３０は、基本的には吸引力を発生する電磁弁（電磁弁部材）３１と、ポンプ部（ポンプ部材）３２とから構成されている。
【０００７】
前記電磁弁３１は、磁界を発生させる電磁コイル３４と、コイルボビン３５と、外部磁路となるコイルケース３５ａ、リング３６、３７とを備えるコイル本体３３と、磁界が付与されると固定鉄心の機能を有するストッパ３８に吸引される可動鉄心であるプランジャ３９と、前記プランジャ３９を支持し、かつ該プランジャ３９に磁界を付与するためのガイド４０と、該ガイド４０からストッパ３８にプランジャ３９を介して磁界が流れるように溶接した非磁性材４１とを備えるスリーブ本体４２から形成される。この場合、電磁コイル３４はコイルボビン３５に装着され、かつコイルケース３５ａ、リング３６及び３７とともにコイルボビン３５に嵌挿された状態で、金型（図示しない）にインサートされて射出成形機によりコイル本体３３が成形される。
【０００８】
前記ストッパ３８には、その軸心部に前記プランジャ３９に当接したロッド４３が変位自在に嵌挿され、該ロッド４３の一端部がポンプ部３２の本体４８（ポンプ本体）に摺動自在に嵌挿されているピストン部材４９に当接している。
なお、コイル本体３３とスリーブ本体４２とを組付けるときは、該コイル本体３３の孔３３ａにスリーブ４４を挿入し、該スリーブ４４のボス部４５に形成されたねじ部４５ａに固定ナット４６が螺着されている。さらに、ストッパ３８の一端部に形成される突出部４７は、ポンプ部３２の本体４８のポンプ室５３に形成するねじ機構５９ａに接合される。
【０００９】
前記本体４８には、ピストン部材４９がロッド４３の同軸上に摺動自在に嵌挿され、該ピストン４９部材は一端部がロッド４３に当接され、他端部がリテーナ５０によりばね部材５１を介してピストン軸５２に接合されている。前記ピストン軸５２は、本体４８の端面に開口したポンプ室５４にねじ機構５９ｂに螺着したボス部５５に設けたねじ機構(図示しない）に進退自在に設けられ、該ピストン軸５２を軸心方向に変位させると、ばね部材５１の弾発力が調整される。よって、前記ばね部材５１の弾発力の調整により、該電磁弁３１の非励磁時におけるピストン部材４９の復帰力が調整される。
【００１０】
一方、ポンプ室５３には、本体４８に穿設された吸込路６４、吐出路５７が連通している。前記吸入路６４はバルブの戻り油を通過するタンクポート６８に吸入逆止弁（圧力調整機構）６０を介して連通しており、前記吐出路５７は液体の供給先（図示しない）であるＡポート６６に接続されている。さらに、吐出路５７の途中には、吐出逆止弁（圧力調整機構）６２が設けられている。前記吐出逆止弁６２は、液体がポンプ室５３から吐出路５７に流れる際に開口し、液体が吸入路６４からポンプ室５３に流れるときに閉塞する。ここで、ポンプ室５３、吸入路６４、吐出路５７、吸入逆止弁６０、吐出逆止弁６２によりポンプ機構６３が形成される。
また、ポンプ室５４には、タンクポート６８に連通した流路５６が接続される。前記流路５６は、ピストン部材４９が矢印Ｘ方向に変位した際、タンクポート６８から液体をポンプ室５４に吸入する機能を有する。Ｙ方向に変位した場合は、ポンプ室５４に収納された液体をタンクポート６８に戻す。参照符号６５は図示しない圧力供給源に接続する圧力ポートを示し、参照符号６７は、液体の供給先に連通するＢポートを示す。取付孔６９は、電磁ポンプ３０をサブプレート（図示しない）に取り付けるためのものである。
【００１１】
本発明の実施の形態に係る電磁ポンプ３０は基本的には以上のように構成されるものであり、図２により電磁ポンプ３０の動作について説明する。
図２（Ａ）は、電磁コイル３４が非励磁（ＯＦＦ）の状態を示している。この状態では、ばね部材５１の弾発力によりピストン部材４９がリテーナ５０を介して矢印Ｘ方向に変位する。よって、ロッド４３がプランジャ３９とともに矢印Ｘ方向に変位する。
【００１２】
次いで、図２（Ｂ）に示すように、電磁コイル３４を励磁（ＯＮ）にすると、プランジャ３９は、ストッパ３８に吸着されるため矢印Ｙ方向に変位する。よって、ピストン部材４９はロッド４３により押圧され、ばね部材５１がリテーナ５０により矢印Ｙ方向に撓む。これにより、ポンプ室５３の容積は増加するため、該ポンプ室５３が負圧なり、容積増加分だけ吸入逆止弁６０を開いてタンクポート６８から吸入路６４を介して圧油が吸入される。
また、ポンプ室５４の容積は減少するので、減少した分の余剰の圧油は流路５６を通じてタンクポート６８に戻される。
【００１３】
一方、電磁コイル３４が励磁（ＯＮ）の状態から非励磁（ＯＦＦ）の状態にすると、図２（Ａ）に示すように、該電磁コイル３４の吸引力によって撓まされていたばね部材５１の弾発力によってピストン部材４９がリテーナ５０を介して矢印Ｘ方向に変位する。よって、ロッド４３がプランジャ３９とともに矢印Ｘ方向に変位する。そのとき、ポンプ室５３の容積は減少し、該ポンプ室５３の容積減少分の余剰の圧油は吐出逆止弁６２を開き、該吐出逆止弁６２を介してＡポート６６に吐出される。この場合、ポンプ室５４の容積はピストン部材４９が矢印Ｘ方向に変位した分だけ増加するので、タンクポート６８から容積増加分の油が吸入路５６を介してポンプ室５４に充填される。
【図面の簡単な説明】
【００１４】
【図１】本発明の実施の形態に係る電磁ポンプの概略構造を示す縦断面図である。
【図２】図１の電磁ポンプの動作説明図で、（Ａ）は非励磁の状態を示し、（Ｂ）は励磁の状態を示す。
【符号の説明】
【００１５】
３０  電磁ポンプ                    ３１  電磁弁  
３２  ポンプ部                      ３４  電磁コイル
４８  本体                          ５６  吸入路
５７  吐出路                        ６０  吐出逆止弁
６２  吸入逆止弁                    ６５  圧力ポート
６６  Ａポート                      ６７  Ｂポート
６８  タンクポート
【図１】
2009007976.tif 000003
【図２】
2009007976.tif 000004